(57)【特許請求の範囲】
【請求項１】
大口径の絞り開口を規制する露光用開口部を有した地板と、前記地板に対して回転可能に取り付けられていて各々が長穴と開口規制縁とを有しており小口径制御状態においてはそれらの開口規制縁によって光軸を中心に小口径の絞り開口を形成する２枚の絞り羽根と、前記２枚の絞り羽根の両方の長穴に嵌合するピンを有していて往復作動することによって前記２枚の絞り羽根を同一方向へ互いに異なる角度で回転させて露光用開口部に進退させ大口径制御状態においては前記２枚の絞り羽根を露光用開口部の同一側方位置に重合させて収納する駆動手段と、を備えていて、前記２枚の絞り羽根の回転軸が、前記ピンの作動軌跡の同一側方の異なる位置に配置されていることを特徴とするカメラ用絞り機構。
【請求項２】
前記駆動手段がモータであって、前記ピンが該モータの出力ピンであることを特徴とする請求項１に記載のカメラ用絞り機構。
【発明の詳細な説明】
【０００１】
【発明の属する技術分野】
本発明は、フィルムやＣＣＤなどの結像面に達する被写体光量を、開口面積を制限して変えられるようにしたカメラ用絞り機構に関する。
【０００２】
【従来の技術】
最近のカメラ用絞り機構は、構造や機能を単純化してコストを低減したいという観点から、露光用開口部よりも小さな絞り口径を一つだけ選択できるようにしたものが増えている。特に、デジタルカメラの場合には、そのような要求が比較的大きい。そして、そのような要求に応えることのできる絞り機構としては、２枚の絞り羽根を同時に相対的に回転させて、所定の口径が得られた位置で停止させるようにした構成のものと、予め所定の口径の開口部を形成した一つの絞り部材を設けておき、その開口部を露光用開口部内に進退させるようにした構成のものとが知られているが、本発明は、それらのうち、前者の構成の改良に関するものである。
【０００３】
【発明が解決しようとする課題】
ところで、最近のカメラは、低コスト化は勿論のこと、小型化に対する要求が大きいため、上記のように２枚の絞り羽根によって口径を規制するタイプの絞り機構に対しても、小型化の要求が極めて大きくなっている。そして、その小型化という場合には、絞り機構の占める平面面積、即ち光軸と直交する面に占める領域を如何に小さくするかが要求されている。ところが、上記の構成の絞り機構においては、２枚の絞り羽根が相対的に作動させられるようになっているため、露光用開口部を全開（最大口径）にしている場合には、少なくとも１枚の絞り羽根の約２倍の収容面積が必要になる。そのため、コストアップを覚悟の上で、各々の羽根を分割して枚数を増やした構成にでもしない限り、そのような要求に応えることが極めて困難であった。
【０００４】
本発明は、このような問題点を解決するためになされたものであり、その目的とするところは、２枚の絞り羽根によって一つの小口径の開口部を規制するように構成しているにもかかわらず、コストアップにならずに小型化することの可能なカメラ用絞り機構を提供することである。
【０００５】
【課題を解決するための手段】
上記の目的を達成するために、本発明のカメラ用絞り機構は、大口径の絞り開口を規制する露光用開口部を有した地板と、前記地板に対して回転可能に取り付けられていて各々が長穴と開口規制縁とを有しており小口径制御状態においてはそれらの開口規制縁によって光軸を中心に小口径の絞り開口を形成する２枚の絞り羽根と、前記２枚の絞り羽根の両方の長穴に嵌合するピンを有していて往復作動することによって前記２枚の絞り羽根を同一方向へ互いに異なる角度で回転させて露光用開口部に進退させ大口径制御状態においては前記２枚の絞り羽根を露光用開口部の同一側方位置に重合させて収納する駆動手段と、を備えていて、前記２枚の絞り羽根の回転軸が、前記ピンの作動軌跡の同一側方の異なる位置に配置されているようにする。
【０００７】
その場合、本発明のカメラ用絞り機構においては、前記駆動手段がモータであって、前記ピンが該モータの出力ピンであるようにすると、極めて好適な電動式の絞り機構が得られる。
【０００８】
【発明の実施の形態】
本発明の実施の形態を、図示した実施例によって説明する。この実施例は、絞り羽根をモータによって作動させる電動式の絞り機構として構成したものであって、フィルムを使用するカメラにもデジタルカメラにも用いることが可能なものである。尚、図１は大口径制御状態を示した本実施例の正面図であり、図２は図１の要部断面図であり、図３は図１の背面図である。また、図４は図１におけるモータを簡略化して示し、且つ絞り羽根の収納状態を理解し易く示した正面図であり、図５は小口径制御状態を図４と同じようにして示した正面図である。
【０００９】
先ず、本実施例の構成を説明する。本実施例は、いずれも合成樹脂製の地板１とカバー板２とを相互に取り付け、両者の間に羽根室を構成している。そして、それらの取付け方は、地板１の背面側に形成された可撓性を有する二つのフック部１ａ，１ｂをカバー板２に引っ掛けるようにしている。また、両者の間隔を規制する部位は地板１に複数設けられているが、それらの部位については図示を省略してある。更に、地板１とカバー板２には、同じ大きさの円形の開口部１ｃ，２ａが形成され、それらを重ね合わせるように配置しているが、それらは、露光用開口部を規制するものであって、絞り機構にとっては最大絞り開口ということになる。尚、実際には、地板１に、カメラ本体への取付部が設けられるが、その図示は省略されている。
【００１０】
そこで、次に、地板１の表面側（図２における上面側）に取り付けられているモータの構成を説明する。本実施例に採用されているモータは、特開２０００−６００８８号公報などに記載のムービングマグネット型モータと称されている電流制御式のモータである。このモータの基枠３は合成樹脂製であって、地板１のフック部１ｄとビス４によって、地板１に取り付けられている。また、合成樹脂製のカバー枠５は、図２から分かるように、植木鉢を逆さまにしたような形状をしていて、フック部５ａなどによって基枠３に取り付けられている。
【００１１】
カバー枠５の中空部には、径方向に２極に着磁された永久磁石製の回転子６が配置されている。この回転子６には、径方向に張出部６ａが形成されており、その先端には、回転子６の回転軸と平行になるようにして駆動ピン（即ち、出力ピン）６ｂが形成されているが、それらの回転軸と、張出部６ａと、駆動ピン６ｂとは、いずれも合成樹脂製であって、アウトサートの成形加工によって形成されている。そして、この回転子６は、基枠３とカバー枠５に形成された二つの孔によって軸受けされており、駆動ピン６ｂを、地板１に形成された長孔１ｅから羽根室内に挿入し、その先端を、カバー板２の長孔２ｂに挿入させている。
【００１２】
また、基枠３とカバー枠５で構成された固定子枠には、回転子６の二つの軸受け部を覆うようにしてコイル７が巻回されており、そのコイル７を包むようにして、カバー枠５の外周面に、円筒形のヨーク８を嵌合させている。そして、棒状の五つの磁性体部材９，１０，１１，１２，１３が、カバー枠５の孔に圧入され、回転子６の周面に対向させられている。
【００１３】
次に、羽根室内の構成を説明する。羽根室内には、２枚の絞り羽根１４，１５が配置されている。このうち、絞り羽根１５よりも地板１側に配置されている絞り羽根１４は、軸部１４ａと、開口規制縁１４ｂと、長孔１４ｃとを有していて、軸部１４ａを地板１の孔に回転可能に嵌合させている。また、絞り羽根１５は、絞り羽根１４の開口規制縁１４ｂと共に小口径の開口部を形成する開口規制縁１５ａと、長孔１５ｂと、孔とを有していて、その孔を、地板１に設けられた軸部１ｆに回転可能に嵌合させている。そして、その軸部１ｆの先端は、カバー板２の孔にも嵌合している。また、地板１の羽根室側には、絞り羽根１４の当接するストッパ１ｇと、絞り羽根１５の当接するストッパ１ｈが設けられている。
【００１４】
次に、本実施例の作動を説明する。周知のように、絞り機構の作動方法は、カメラの仕様によって様々である。しかし、本実施例の場合には、大口径の開口と小口径の開口のいずれかを選択できるだけであるから、如何なる場合であっても、大口径制御状態か小口径制御状態のいずれかになっていることになる。また、本実施例のように電動式の絞り機構の場合には、カメラを使用していないときには、自動的にいずれか一方の特定の口径制御状態となっているようにするのが普通であるが、一般的には、大口径の制御状態にしておく方が多い。そのため、本実施例の作動説明においては、カメラの不使用時と、電源をオンにしただけのときには、大口径の制御状態が維持されていて、実際に撮影をするときだけ、必要に応じて小口径の絞り開口が選択される場合で説明する。
【００１５】
図１は、カメラの不使用時か、電源を単にオンにしただけの状態を示したものであって、絞り羽根１４，１５は大口径制御状態となっている。このとき、コイル７には電流が供給されていないが、それでも本実施例の絞り羽根１４，１５は確実にこの状態を維持できるようになっている。即ち、図１から分かるように、回転子６のＮ極と三つの磁性体部材１０，１１，１２との間には、夫々吸引力が働いているが、着磁方向の中心線を境にして、一方の領域には磁性体部材１０が存在しているだけであり、しかも、上記の中心線までの距離は磁性体部材１１の場合より離れているため、回転子６には時計方向への回転力が作用している。
【００１６】
他方、回転子６のＳ極に対向している二つの磁性体部材９，１３は、磁性体部材１３の方が、磁性体部材９の場合よりも上記の中心線までの距離が離れているので、やはり、回転子６には時計方向への回転力が作用していることになる。従って、非通電状態であっても、回転子６には時計方向の回転力が付与されているが、絞り羽根１４がストッパ１ｇに接触しているために回転することができず、この大口径制御状態が維持されている。
【００１７】
そこで、撮影に際して絞り制御回路を機能させると、被写体光が比較的暗い場合には、コイル７に通電されず、絞り羽根１４，１５は、図４に示された大口径制御状態を維持したままで撮影が行なわれる。そして、撮影後もその状態は変わらない。しかし、被写体光が比較的明るい場合には、コイル７に対して電流が順方向に供給され、回転子６が、図４において反時計方向へ回転させられる。そのため、絞り羽根１４，１５が駆動ピン６ｂによって回転させられるが、絞り羽根１４，１５の回転軸は、両方とも駆動ピン６ｂの作動軌跡の同じ側方領域に配置されているため、それらの回転方向は、いずれも時計方向となる。
【００１８】
しかしながら、この駆動ピン６ｂの作動中には、絞り羽根１４の回転軸から駆動ピン６ｂまでの距離が、常に、絞り羽根１５の回転軸から駆動ピン６ｂまでの距離よりも短いため、絞り羽根１４の角度変化の方が絞り羽根１５よりも大きく、全体として早く回転させられることになる。そのため、図４の状態に重合されていた絞り羽根１４，１５は、開口規制縁１４ｂ，１５ａによって開口部を形成し始め、その大きさを徐々に大きくしていく。そして、その開口部が円形になったとき、絞り羽根１５がストッパ１ｈに当接して、回転子６と絞り羽根１４，１５の回転が停止させられ、図５の状態となるが、この状態が小口径の制御状態である。
【００１９】
この状態になった後も、撮影が終了するまでの間は、コイル７に対して順方向の電流を供給し続けていても構わない。しかしながら、本実施例の場合には、通電を断ってもこの状態が維持されるようになっている。即ち、この状態においては、図１の状態とは異なり、回転子６のＮ極と対向しているのは磁性体部材１０，１１だけであり、磁性体部材１２は磁性体部材９，１３と共にＳ極に対向していることになる。そのため、図１の状態とは対称的な配置関係になっていて、詳述するまでもなく、回転子６には反時計方向へ回転する力が付与されているからである。
【００２０】
このような小口径制御状態での撮影終了時には、この図５の状態において、コイル７に対して逆方向への電流を供給する。そのため、回転子６は上記とは逆に時計方向へ回転し、絞り羽根１４，１５は反時計方向へ回転させられる。そして、それらの絞り羽根１４，１５は、図４に示すように、絞り羽根１４がストッパ１ｇに当接して停止させられるまで回転され、その停止後は、コイル７に対する通電が断たれることによって、一連の作動が終了する。
【００２１】
以上のように、本実施例の場合は、大口径制御状態のとき、２枚の絞り羽根１４，１５が、露光用開口部の同じ側方領域に重合されて収容されるため、収容面積が従来の約１／２で済むようになる。そのため、従来の通常の絞り機構の場合には、図１，図３〜図５に二点鎖線で示したような円形の地板を設けるのが普通であったが、本実施例の地板１は平面面積が格段に小さなものとなっている。また、本実施例の場合には、このように小型化されているにもかかわらず、構成部材の数が多くなったり、特殊な形状になって加工が難しくなったりするようなことがないから、コストアップになってしまうようなことがない。
【００２２】
尚、実施例の絞り機構は、駆動手段としてムービングマグネット型モータを採用しているが、本発明は、そのようなものに限定されず、ステップモータのような他のモータを採用してもよいし、電動式ではなく手動式であっても構わない。また、電動式にした場合であっても、実施例のように、回転子と一体の出力ピンによって、２枚の絞り羽根を直接作動させずに、回転子によって作動させられる仲介部材（開閉部材）を介して２枚の絞り羽根を作動させるようにしても差し支えない。
【００２３】
また、２枚のシャッタ羽根には、長孔の代わりにピンを設け、駆動手段又は上記の仲介部材には、それらのピンに別々に嵌合する二つの長孔を設けるようにしても差し支えない。
【００２４】
【発明の効果】
以上のように、本発明によれば、２枚の絞り羽根によって小口径の絞り開口を規制するカメラ用絞り機構において、従来よりも特別にコストアップとはならずに、光軸に対して直交する面の平面面積を著しく小さくできるという特徴を有している。
【図面の簡単な説明】
【図１】大口径制御状態を示した実施例の正面図である。
【図２】図１の要部断面図である。
【図３】図１の背面図である。
【図４】図１におけるモータを簡略化して示し、且つ絞り羽根の収納状態を理解し易く示した正面図である。
【図５】小口径制御状態を図４と同じようにして示した正面図である。
【符号の説明】
１                        地板
１ａ，１ｂ，１ｄ，５ａ    フック部
１ｃ，２ａ                開口部
１ｅ，２ｂ，１４ｃ，１５ｂ  長孔
１ｆ，１４ａ              軸部
１ｇ，１ｈ                ストッパ
２                        カバー板
３                        基枠
４                        ビス
５                        カバー枠
６                        回転子
６ａ                      張出部
６ｂ                      駆動ピン
７                        コイル
８                        ヨーク
９，１０，１１，１２，１３  磁性体部材
１４，１５                絞り羽根
１４ｂ，１５ａ            開口規制縁
【図１】
0005000808.tif 000002
【図２】
0005000808.tif 000003
【図３】
0005000808.tif 000004
【図４】
0005000808.tif 000005
【図５】
0005000808.tif 000006